(57)【要約】【課題】  情報処理装置側で用意した画像データと原稿を読み取って生成される画像データの両方を、簡単な操作で送信する仕組みを提供することを目的とする。【解決手段】  タブレット型端末１０１から画像コマンド（Ｓ１００５）とスキャンコマンド（Ｓ１００７）の両方を受信した場合は、タブレット型端末１０１により送信された画像データと原稿を読み取って生成した画像データをマージし（Ｓ１０１３）、マージした画像データを一回の発呼でファックス送信する（Ｓ１０１４）。【選択図】  図１０
2014239376.tif 000002
【特許請求の範囲】
【請求項１】
情報処理装置により送信された画像データを受信する受信手段と、
原稿を読み取って画像データを生成する読取手段と、
前記情報処理装置において受け付けたユーザからの指示に従って、前記受信手段が受信した画像データと前記読取手段が生成した画像データの両方を送信する送信手段と、
を備えることを特徴とする画像処理システム。
【請求項２】
前記情報処理装置は、前記読取手段が生成する画像データの送信を指示する第１の指示と、前記受信手段が受信する画像データの送信を指示する第２の指示と、前記読取手段が生成する画像データと前記受信手段が受信する画像データの両方の送信を指示する第３の指示とを受け付けることが可能であって、
前記送信手段は、前記情報処理装置が前記第３の指示を受け付けた場合に、前記受信手段が受信した画像データと前記読取手段が生成した画像データの両方を送信することを特徴とする請求項１に記載の画像処理システム。
【請求項３】
前記受信手段が受信した画像データと前記読取手段が生成した画像データをマージするマージ手段を更に備え、
前記送信手段は、前記マージ手段がマージした画像データを送信することを特徴とする請求項１または２に記載の画像処理システム。
【請求項４】
前記送信手段は、前記受信手段が受信した画像データと前記読取手段が生成した画像データをファックス送信することを特徴とする請求項１から３のいずれか１項に記載の画像処理システム。
【請求項５】
前記送信手段は、前記受信手段が受信した画像データと前記読取手段が生成した画像データを一回の発呼でファックス送信することを特徴とする請求項４に記載の画像処理システム。
【請求項６】
前記情報処理装置は、前記受信手段が受信する画像データと前記読取手段が生成する画像データの順番の指定を受け付けることが可能であって、
前記送信手段は、前記情報処理装置が受け付けた指定に従った順番で、前記受信手段が受信した画像データと前記読取手段が生成した画像データを送信することを特徴とする請求項１から５のいずれか１項に記載の画像処理システム。
【請求項７】
画像データを受信する受信手段と、
原稿を読み取って画像データを生成する読取手段と、
第１のコマンドを受信した場合は前記受信手段が受信した画像データを送信し、第２のコマンドを受信した場合は前記読取手段が生成した画像データを送信し、前記第１のコマンド及び前記第２のコマンドの両方を受信した場合は前記受信手段が受信した画像データと前記読取手段が生成した画像データの両方を送信する送信手段と、
を備えることを特徴とする画像処理システム。
【請求項８】
前記受信手段が受信した画像データと前記読取手段が生成した画像データをマージするマージ手段を更に備え、
前記送信手段は、前記第１のコマンド及び前記第２のコマンドの両方を受信した場合に、前記マージ手段がマージした画像データを送信することを特徴とする請求項７に記載の画像処理システム。
【請求項９】
前記送信手段は、前記第１のコマンド及び前記第２のコマンドの両方を受信した場合に、前記受信手段が受信した画像データと前記読取手段が生成した画像データを一回の発呼でファックス送信することを特徴とする請求項７または８に記載の画像処理システム。
【請求項１０】
前記送信手段は、前記第１のコマンドと前記第２のコマンドの受信順に応じた順番で、前記受信手段が受信した画像データと前記読取手段が生成した画像データを送信することを特徴とする請求項７から９のいずれか１項に記載の画像処理システム。
【請求項１１】
原稿を読み取って画像データを生成する読取手段を備えた画像処理装置と通信する情報処理装置であって、
画像データを記憶する記憶手段と、
前記読取手段が生成する画像データの送信を指示する第１の指示と、前記記憶手段に記憶された画像データの送信を指示する第２の指示と、前記読取手段が生成する画像データと前記記憶手段に記憶された画像データの両方の送信を指示する第３の指示とを受け付けることが可能な受付手段と、
前記第１の指示を受け付けた場合は、前記読取手段による読取処理の実行を指示する第１のコマンドを前記画像処理装置に送信し、前記第２の指示を受け付けた場合は前記記憶手段に記憶された画像データを含む第２のコマンドを前記画像処理装置に送信し、前記第３の指示を受け付けた場合は前記第１のコマンド及び前記第２のコマンドの両方を前記画像処理装置に送信する送信手段と、
を備えることを特徴とする情報処理装置。
【請求項１２】
前記受付手段は、前記第３の指示を受け付ける際に、前記読取手段が生成する画像データと前記記憶手段に記憶された画像データの順番の指定を更に受け付けることが可能であることを特徴とする請求項１１に記載の情報処理装置。
【請求項１３】
前記送信手段は、前記第３の指示を受け付けた場合に、前記指定された順番に従って前記第１のコマンド及び前記第２のコマンドを送信することを特徴とする請求項１２に記載の情報処理装置。
【請求項１４】
情報処理装置により送信された画像データを受信する受信工程と、
原稿を読み取って画像データを生成する読取工程と、
前記情報処理装置において受け付けたユーザからの指示に従って、前記受信工程で受信した画像データと前記読取工程で生成した画像データの両方を送信する送信工程と、
を備えることを特徴とする画像処理方法。
【請求項１５】
画像データを受信する受信工程と、
原稿を読み取って画像データを生成する読取工程と、
第１のコマンドを受信した場合は前記受信工程で受信した画像データを送信し、第２のコマンドを受信した場合は前記読取工程で生成した画像データを送信し、前記第１のコマンド及び前記第２のコマンドの両方を受信した場合は前記受信工程で受信した画像データと前記読取工程で生成した画像データの両方を送信する送信工程と、
を備えることを特徴とする画像処理方法。
【請求項１６】
原稿を読み取って画像データを生成する読取手段を備えた画像処理装置と通信する情報処理装置の制御方法であって、
画像データを記憶手段に記憶する記憶工程と、
前記読取手段が生成する画像データの送信を指示する第１の指示を受け付ける第１の受付工程と、
前記記憶手段に記憶された画像データの送信を指示する第２の指示を受け付ける第２の受付工程と、
前記読取手段が生成する画像データと前記記憶手段に記憶された画像データの両方の送信を指示する第３の指示を受け付ける第３の受付工程と、
前記第１の指示を受け付けた場合は、前記読取手段による読取処理の実行を指示する第１のコマンドを前記画像処理装置に送信し、前記第２の指示を受け付けた場合は前記記憶手段に記憶された画像データを含む第２のコマンドを前記画像処理装置に送信し、前記第３の指示を受け付けた場合は前記第１のコマンド及び前記第２のコマンドの両方を前記画像処理装置に送信する送信工程と、
を備えることを特徴とする情報処理装置の制御方法。
【請求項１７】
コンピュータを請求項１から１０のいずれか１項に記載の画像処理システムの各手段として機能させるためのプログラム。
【請求項１８】
コンピュータを請求項１１から１３のいずれか１項に記載の情報処理装置の各手段として機能させるためのプログラム。
【発明の詳細な説明】
【技術分野】
【０００１】
本発明は、受信した画像データと原稿を読み取って生成した画像データを送信する画像処理システムに関する。
【背景技術】
【０００２】
従来、クライアントコンピュータで生成した画像データを、ＬＡＮ（Ｌｏｃａｌ  Ａｒｅａ  Ｎｅｔｗｏｒｋ）を介してファックス装置に送信し、ファックス装置からファックス送信する機能が知られている。この場合、ファックス送信の宛先はパーソナルコンピュータ側でユーザが指定することが可能であった。
【０００３】
また、クライアントコンピュータ側で画像データを準備せず、ユーザが指定した宛先のみをファックス装置に通知し、ファックス装置側で原稿を読み取って生成した画像データを指定された宛先にファックス送信する機能も知られていた（特許文献１）。
【先行技術文献】
【特許文献】
【０００４】
【特許文献１】特開平７−２８８６２５号公報
【発明の概要】
【発明が解決しようとする課題】
【０００５】
例えば、クライアントコンピュータで生成したカバーページと、ファックス装置で本文原稿を読み取って得られる画像データの両方をファックス送信したい場合が考えられる。しかしながら、特許文献１に記載の技術では、クライアントコンピュータで生成した画像データとファックス装置で生成する画像データの両方を送信することはできない。即ち、特許文献１に記載の技術では、クライアントコンピュータで生成したカバーページを最初にファックス送信させた後、本文原稿を読み取って生成した画像データのファックス送信を別途指示しなければならない。この場合、カバーページを送信するための操作と本文の画像データを送信するための操作を別々に行わなければならず、手間がかかるという問題がある。
【０００６】
本発明は、上記の課題に鑑みなされたものであり、情報処理装置側で用意した画像データと原稿を読み取って生成される画像データの両方を、簡単な操作で送信する仕組みを提供することを目的とする。
【課題を解決するための手段】
【０００７】
上記の目的を達成するために本発明の画像処理システムは、情報処理装置により送信された画像データを受信する受信手段と、原稿を読み取って画像データを生成する読取手段と、前記情報処理装置において受け付けたユーザからの指示に従って、前記受信手段が受信した画像データと前記読取手段が生成した画像データの両方を送信する送信手段と、を備えることを特徴とする。
【０００８】
また、本発明の画像処理システムは、画像データを受信する受信手段と、原稿を読み取って画像データを生成する読取手段と、第１のコマンドを受信した場合は前記受信手段が受信した画像データを送信し、第２のコマンドを受信した場合は前記読取手段が生成した画像データを送信し、前記第１のコマンド及び前記第２のコマンドの両方を受信した場合は前記受信手段が受信した画像データと前記読取手段が生成した画像データの両方を送信する送信手段と、を備えることを特徴とする。
【０００９】
また、本発明の情報処理装置は、原稿を読み取って画像データを生成する読取手段を備えた画像処理装置と通信する情報処理装置であって、画像データを記憶する記憶手段と、前記読取手段が生成する画像データの送信を指示する第１の指示と、前記記憶手段に記憶された画像データの送信を指示する第２の指示と、前記読取手段が生成する画像データと前記記憶手段に記憶された画像データの両方の送信を指示する第３の指示とを受け付けることが可能な受付手段と、前記第１の指示を受け付けた場合は、前記読取手段による読取処理の実行を指示する第１のコマンドを前記画像処理装置に送信し、前記第２の指示を受け付けた場合は前記記憶手段に記憶された画像データを含む第２のコマンドを前記画像処理装置に送信し、前記第３の指示を受け付けた場合は前記第１のコマンド及び前記第２のコマンドの両方を前記画像処理装置に送信する送信手段と、を備えることを特徴とする。
【発明の効果】
【００１０】
本発明によれば、情報処理装置側で用意した画像データと原稿を読み取って生成される画像データの両方を、簡単な操作で送信することができる。
【図面の簡単な説明】
【００１１】
【図１】本発明の実施形態におけるネットワーク全体図である。
【図２】本発明の実施形態におけるＭＦＰ１０３のハードウェア構成図である。
【図３】本発明の実施形態におけるＭＦＰ１０３のソフトウェア構成図である。
【図４】本発明の実施形態におけるタブレット型端末１０１のハードウェア構成図である。
【図５】本発明の実施形態におけるタブレット型端末１０１の操作画面を示す図である。
【図６】本発明の実施形態におけるシーケンス図である。
【図７】本発明の実施形態におけるタブレット型端末１０１の操作画面を示す図である。
【図８】本発明の実施形態におけるタブレット型端末１０１の操作画面を示す図である。
【図９】本発明の実施形態におけるシーケンス図である。
【図１０】本発明の実施形態におけるシーケンス図である。
【図１１】本発明の従来技術におけるＭＦＰ１０３の動作を示すフローチャートである。
【図１２】本発明の実施形態におけるタブレット型端末１０１の操作画面を示す図である。
【図１３】本発明の実施形態におけるシーケンス図である。
【図１４】本発明の従来技術におけるＭＦＰ１０３の動作を示すフローチャートである。
【発明を実施するための形態】
【００１２】
以下、図面を参照して本発明の実施の形態を詳しく説明する。なお、以下の実施の形態は特許請求の範囲に係る発明を限定するものでなく、また実施の形態で説明されている特徴の組み合わせの全てが発明の解決手段に必須のものとは限らない。
【００１３】
＜第１の実施形態＞
本発明の第１の実施形態について説明する。図１は、ネットワーク全体図である。情報処理装置の一例であるタブレット型端末１０１は、無線ネットワークルーター（無線アクセスポイント）１０２を介してＭＦＰ１０３と通信する。ＭＦＰ１０３は、画像処理装置の一例であるが、ＭＦＰ１０３単体を画像処理システムと称しても良いし、ＭＦＰ１０３とタブレット型端末１０１を含む全体を画像処理システムと称しても良い。タブレット型端末１０１と無線ネットワークルーター１０２は無線ＬＡＮ（Ｌｏｃａｌ  Ａｒｅａ  Ｎｅｔｗｏｒｋ）で接続されている。ＭＦＰ１０３と無線ネットワークルーター１０２は有線ＬＡＮで接続されている。また、ＭＦＰ１０３は、公衆回線網（ＰＳＴＮ）にも接続されている。
【００１４】
なお、タブレット型端末１０１とＭＦＰ１０３の通信経路は上述したものに限らない。例えば、タブレット型端末１０１と無線ネットワークルーター１０２が有線ＬＡＮで接続されていても良い。また、ＭＦＰ１０３と無線ネットワークルーター１０２が無線ＬＡＮで接続されていても良い。更に、タブレット型端末１０１とＭＦＰ１０３が同一ネットワークに接続されていても良い。
【００１５】
図２は、ＭＦＰ１０３のハードウェア構成図である。ＣＰＵ２１１を含む制御部２１０は、ＭＦＰ１０３全体の動作を制御する。ＣＰＵ２１１は、ＲＯＭ２１２に記憶された制御プログラムを読み出して、読取／印刷／通信などの各種制御を行う。ＲＡＭ２１３は、ＣＰＵ２１１の主メモリ、ワークエリア等の一時記憶領域として用いられる。なお、ＭＦＰ１０３は１つのＣＰＵ２１１が１つのメモリ（ＲＡＭ２１３またはＨＤＤ２１４）を用いて後述するフローチャートに示す各処理を実行するものとするが、他の態様であっても構わない。例えば、複数のＣＰＵや複数のＲＡＭまたはＨＤＤを協働させてフローチャートに示す各処理を実行するようにすることもできる。
【００１６】
ＨＤＤ２１４は、画像データや各種プログラムを記憶する。操作部Ｉ／Ｆ２１５は、操作部２２０と制御部２１０を接続する。操作部２２０には、タッチパネル機能を有する液晶表示部やキーボードなどが備えられており、ユーザによる操作／入力／指示を受け付ける受付部としての役割を担う。
【００１７】
プリンタＩ／Ｆ２１６は、プリンタ２２１と制御部２１０を接続する。プリンタ２２１で印刷すべき画像データはプリンタＩ／Ｆ２１６を介して制御部２１０から転送され、プリンタ２２１により記録媒体上に印刷される。
【００１８】
スキャナＩ／Ｆ２１７は、スキャナ２２２と制御部２１０を接続する。スキャナ２２２は、原稿上の画像を読み取って画像データを生成し、スキャナＩ／Ｆ２１７を介して制御部２１０に入力する。
【００１９】
モデムＩ／Ｆ２１８は、モデム２２３と制御部２１０を接続する。モデム２２３は、ＰＳＴＮに接続され、図示しないファックス装置との間における画像データのファックス通信を実行する。ネットワークＩ／Ｆ２１９は、制御部２１０（ＭＦＰ１０３）を有線ＬＡＮに接続する。ＭＦＰ１０３は、ネットワークＩ／Ｆ２１９を用いて外部装置から画像データや各種情報を送受信することができる。
【００２０】
図３は、ＭＦＰ１０３のソフトウェア構成図である。図３において実線で示した各部は、ＣＰＵ２１１がＲＯＭ２１２またはＨＤＤ２１４に記憶されたプログラムを読み出して実行することにより実現されるソフトウェアモジュールである。ＵＩ（Ｕｓｅｒ  Ｉｎｔｅｒｆａｃｅ）部３０１は、操作部２２０を介して各種情報をユーザに提供するとともに、ユーザからの各種指示を受け付ける。Ｊｏｂ  Ｃｏｎｔｒｏｌｌｅｒ部３０２は、コピーやプリント、ファックスなどのジョブを受け付け、受け付けたジョブの実行を制御する。Ｐｒｏｔｏｃｏｌ  Ｓｔａｃｋ部３０４は、ＴＣＰ／ＩＰやＨＴＴＰ（Ｈｙｐｅｒｔｅｘｔ  Ｔｒａｎｓｆｅｒ  Ｐｒｏｔｏｃｏｌ）などの各種ネットワークプロトコルを保持する。
【００２１】
本実施形態において、タブレット型端末１０１から送信される画像データは、Ｐｒｏｔｏｃｏｌ  Ｓｔａｃｋ部３０４に保持されたネットワークプロトコルに従い、ネットワークＩ／Ｆ２１９を介して受信される。受信した画像データは、Ｉｍａｇｅ  Ｆｉｌｅ部３０３によって格納される。Ｉｍａｇｅ  Ｆｉｌｅ部３０３は、ＲＡＭ２１３やＨＤＤ２１４に格納された画像データを管理するソフトウェアモジュールである。
【００２２】
Ｉｍａｇｅ  Ｆｉｌｅ部３０３には、ネットワークＩ／Ｆ部２１９を介して受信した画像データだけでなく、スキャナ２２２によって生成された画像データも格納される。スキャナ２２２による画像データの生成は、Ｓｃａｎ部３０６によって制御される。Ｆａｘ部３０５は、モデム２２３を介したファックス通信を制御する。ＭＦＰ１０３からのファックス送信を行う場合は、Ｆａｘ部３０５が、Ｉｍａｇｅ  Ｆｉｌｅ部３０３に格納されている画像データを読み出して送信する。
【００２３】
ＯＳ（Ｏｐｅｒａｔｉｎｇ  Ｓｙｓｔｅｍ）部３０８は、各モジュールやタスクを調整し、ＭＦＰ１０３のソフトウェア全体を管理する。ＯＳ部３０８には、Ｄｅｖｉｃｅ  Ｄｒｉｖｅｒ部３０７が組み合わされている。Ｄｅｖｉｃｅ  Ｄｒｉｖｅｒ部３０７は、スキャナ２２２やモデム２２３などのハードウェアデバイスを制御する。
【００２４】
図４は、タブレット型端末１０１のハードウェア構成図である。ＣＰＵ４１１を含む制御部４１０は、タブレット型端末１０１全体の動作を制御する。ＣＰＵ４１１は、メモリ４１２に記憶された制御プログラムを読み出して各種制御を行う。また、メモリ４１２は、ＣＰＵ４１１の主メモリ、ワークエリア等の一時記憶領域としても用いられる。なお、タブレット型端末１０１は１つのＣＰＵ４１１が１つのメモリ４１２を用いて各処理を実行するものとするが、他の態様であっても構わない。例えば、複数のＣＰＵや複数のメモリを協働させて各処理を実行するようにすることもできる。
【００２５】
操作部Ｉ／Ｆ４１３は、操作部４２０と制御部４１０を接続する。操作部４２０には、タッチパネル機能を有する液晶表示部が備えられており、ユーザによる操作、入力、指示等を受け付ける受付部としての役割を担う。ネットワークＩ／Ｆ４１４は、制御部４１０（タブレット型端末１０１）を無線ＬＡＮに接続する。タブレット型端末１０１は、ネットワークＩ／Ｆ４１４を用いて外部装置に画像データや情報を送信したり、各種情報を受信したりすることができる。
【００２６】
図５は、タブレット型端末１０１に表示されるファックス送信アプリケーションの操作画面を示す図である。ファックス送信アプリケーションは、インターネット上のサーバからダウンロードし、タブレット型端末１０１に追加インストールすることが可能なアプリケーションであり、ＯＳ部３０８上で操作するソフトウェアである。ファックス送信アプリケーションを用いることにより、ＭＦＰ１０３にファックス送信を行わせるための設定をタブレット型端末１０１側で行うことができる。後述するタブレット型端末１０１の動作はファックス送信アプリケーションからの指示に基づいて実行される。
【００２７】
タブレット型端末１０１でファックス送信アプリケーションを起動すると、図５に示す操作画面が表示される。設定欄５０１は、ファックス送信を実行させるＭＦＰを設定する欄である。設定欄５０１にタッチすると、タブレット型端末１０１が周囲にあるＭＦＰを検索し、見つかったＭＦＰが一覧表示される。ユーザは、表示されたＭＦＰからファックス送信を実行させるＭＦＰを選択することができる。
【００２８】
設定欄５０２は、ファックス送信の宛先となる電話番号（ファックス番号）を設定する欄である。ユーザは、タブレット型端末１０１に表示されるソフトキーボードを用いて電話番号を入力しても良いし、タブレット型端末１０１に記憶されているアドレス帳を参照して電話番号を選択しても良い。
【００２９】
設定欄５０３は、ＭＦＰ１０３のスキャナ２２１を用いて実行するスキャン処理（読取処理）の詳細設定を行う欄である。設定欄５０３をタッチすると、解像度や原稿サイズ、カラー／モノクロなどの読取パラメータを指定するための画面が表示され、この画面を介してユーザからスキャン設定を受け付ける。
【００３０】
ファックス送信キー５０４は、ＭＦＰ１０３に対してファックス送信の実行を指示するためのキーである。設定欄５０１乃至５０３の設定が済んだ後にファックス送信キー５０４が押下されると、タブレット型端末１０１とＭＦＰ１０３の通信が開始される。
【００３１】
図６は、タブレット型端末１０１とＭＦＰ１０３における処理のシーケンス図である。ステップＳ６０１では、図５の操作画面を介してユーザからの設定を受け付ける。ステップＳ６０２では、タブレット型端末１０１がＭＦＰ１０３にジョブ生成のためのコマンドを送信する。このコマンドを受けたＭＦＰ１０３は、ステップＳ６０３でＯＫをタブレット型端末１０１に応答する。
【００３２】
ステップＳ６０４では、タブレット型端末１０１がＭＦＰ１０３にスキャンの実行を指示するスキャンコマンドを送信する。このコマンドを受けたＭＦＰ１０３は、スキャナ２２２が使用可能であることを確認した後に、ステップＳ６０５でＯＫをタブレット型端末１０１に応答する。
【００３３】
ステップＳ６０６では、タブレット型端末１０１がＭＦＰ１０３にジョブ終了のためのコマンドを送信する。このコマンドを受けたＭＦＰ１０３は、ステップＳ６０７でＯＫをタブレット型端末１０１に応答する。
【００３４】
ＭＦＰ１０３は、ユーザの操作があるまで待機し、ステップＳ６０８でユーザの操作を受け付けるとステップＳ６０９に進む。ステップＳ６０９では、スキャナ２２２を用いた原稿のスキャン処理を行う。この処理は、設定欄５０３に設定された内容に従う。ステップＳ６１０では、ステップＳ６０９で実行したスキャンによって得られた画像データをファックス送信する。このファックス送信の宛先は、設定欄５０２に設定された電話番号である。
【００３５】
以上のようにして、タブレット型端末１０１で設定された内容に従って、ＭＦＰ１０３で原稿をスキャンし、得られた画像データをファックス送信する処理が行われる。以下、この処理を第１の送信処理と称する。第１の送信処理では、ＭＦＰ１０３によるスキャンで得られた画像データのみをファックス送信するのに対し、タブレット型端末１０１側で用意した画像データをＭＦＰ１０３からファックス送信する第２の送信処理を次に説明する。
【００３６】
図７は、タブレット型端末１０１に表示されるデータ管理アプリケーションの操作画面を示す図である。タブレット型端末１０１には、ネットワーク上からダウンロードした画像データやタブレット型端末１０１に備えられたカメラ機能を用いて撮影した画像データが記憶されている。これらの画像データは、タブレット型端末１０１にインストールされたデータ管理アプリケーションを用いて順次切り替えて表示することが可能であり、図７の操作画面は記憶されている画像データの一つが表示された様子を示している。
【００３７】
図７の操作画面において、ユーザが操作キー７０１を押下すると、現在表示されている画像データに対して実行する機能を選択する画面が表示される。この画面には、メール送信アプリケーションや印刷アプリケーションなどの他に、上述したファックス送信アプリケーションが選択候補として表示される。ユーザがファックス送信アプリケーションを選択すると、図８の操作画面に切り替わる。
【００３８】
図８は、タブレット型端末１０１に表示されるファックス送信アプリケーションの操作画面を示す図である。設定欄８０１、８０２、８０４は、それぞれ図５で説明した設定欄５０１、５０２、５０３と同様である。ファックス送信キー８０５は、図５で説明したファックス送信キー５０４と同様である。
【００３９】
図８の操作画面を図５の操作画面と比較すると、設定欄８０３が追加されていることが分かる。設定欄８０３では、図７の操作画面で選択した画像データのみをＭＦＰ１０３からファックス送信するか、図７の操作画面で選択した画像データとＭＦＰ１０３によるスキャンで得られた画像データの両方をＭＦＰ１０３からファックス送信するかを設定する。以下、前者の処理を第２の送信処理と称する。また、後者の処理を第３の送信処理と称する。
【００４０】
設定欄８０３では、「オン」または「オフ」が選択可能である。「オフ」が設定されると第２の送信処理が実行される。「オン」が設定されると第３の送信処理が実行される。
【００４１】
図９は、設定欄８０３で「オフ」が設定された場合（第２の送信処理を実行する場合）のシーケンス図である。ステップＳ９０１では、図７の操作画面を介してユーザからの画像選択を受け付ける。続くステップＳ９０２では、図８の操作画面を介してユーザからの設定を受け付ける。なお、第２の送信処理ではＭＦＰ１０３によるスキャン処理は実行されないため、設定欄８０４をグレーアウト表示するようにしても良い。
【００４２】
ステップＳ９０３では、タブレット型端末１０１がＭＦＰ１０３にジョブ生成のためのコマンドを送信する。このコマンドを受けたＭＦＰ１０３は、ステップＳ９０４でＯＫをタブレット型端末１０１に応答する。
【００４３】
ステップＳ９０５では、タブレット型端末１０１がＭＦＰ１０３に画像コマンドを送信する。画像コマンドには、ＭＦＰ１０３からファックス送信すべき画像データが含まれる。この画像データは、図７の操作画面に表示されていたものである。画像コマンドを受けたＭＦＰ１０３は、ステップＳ９０６でＯＫをタブレット型端末１０１に応答する。
【００４４】
ステップＳ９０７では、タブレット型端末１０１がＭＦＰ１０３にジョブ終了のためのコマンドを送信する。このコマンドを受けたＭＦＰ１０３は、ステップＳ９０８でＯＫをタブレット型端末１０１に応答する。
【００４５】
ＭＦＰ１０３は、ステップＳ９０９では、タブレット型端末１０１から受信した画像データをファックス送信する。このファックス送信の宛先は、設定欄８０２に設定された電話番号である。第２の送信処理では、ＭＦＰ１０３側でのスキャン処理が実行されない。このため、第１の送信処理とは異なり、ユーザによるＭＦＰ１０３の操作を待つ必要はない。
【００４６】
以上のようにして、タブレット型端末１０１で設定された内容に従って、タブレット型端末１０１からＭＦＰ１０３に送信した画像データを、ＭＦＰ１０３からファックス送信する処理（第２の送信処理）が行われる。次に、第３の送信処理について説明する。
【００４７】
図１０は、設定欄８０３で「オン」が設定された状態で、図８のファックス送信キー８０５が押下された場合（第３の送信処理を実行する場合）のシーケンス図である。
【００４８】
ステップＳ１００１では、図７の操作画面を介してユーザからの画像選択を受け付ける。続くステップＳ１００２では、図８の操作画面を介してユーザからの設定を受け付ける。ステップＳ１００３では、タブレット型端末１０１がＭＦＰ１０３にジョブ生成のためのコマンドを送信する。このコマンドを受けたＭＦＰ１０３は、ステップＳ１００４でＯＫをタブレット型端末１０１に応答する。
【００４９】
ステップＳ１００５では、タブレット型端末１０１がＭＦＰ１０３に画像コマンドを送信する。画像コマンドには、ＭＦＰ１０３からファックス送信すべき画像データ含まれる。この画像データは、図７の操作画面に表示されていたものである。画像データを受けたＭＦＰ１０３は、ステップＳ１００６でＯＫをタブレット型端末１０１に応答する。
【００５０】
ステップＳ１００７では、タブレット型端末１０１がＭＦＰ１０３にスキャンの実行を指示するスキャンコマンドを送信する。このコマンドを受けたＭＦＰ１０３は、スキャナ２２２が使用可能であることを確認した後に、ステップＳ１００８でＯＫをタブレット型端末１０１に応答する。
【００５１】
ステップＳ１００９では、タブレット型端末１０１がＭＦＰ１０３にジョブ終了のためのコマンドを送信する。このコマンドを受けたＭＦＰ１０３は、ステップＳ１０１０でＯＫをタブレット型端末１０１に応答する。
【００５２】
ＭＦＰ１０３は、ユーザの操作があるまで待機し、ステップＳ１０１１でユーザの操作を受け付けるとステップＳ１０１２に進む。ステップＳ１０１２では、スキャナ２２２を用いた原稿のスキャン処理を行う。この処理は、設定欄８０４に設定された内容に従う。ステップＳ１０１３では、ステップＳ１００５でタブレット型端末１０１から送信されてきた画像データとステップＳ１０１２のスキャンで得られた画像データをマージする処理を行う。マージとは、複数の画像データを複数ページからなる１つの画像データ（文書または文書ファイルと称することもできる）とすることを意味する。ステップＳ１０１４では、ステップＳ１０１３でマージされた画像データをファックス送信する。このファックス送信の宛先は、設定欄８０２に設定された電話番号である。
【００５３】
以上のようにして、タブレット型端末１０１で設定された内容に従って、タブレット型端末１０１からＭＦＰ１０３に送信した画像データとＭＦＰ１０３によるスキャンで得られた画像データがマージされ、ＭＦＰ１０３からファックス送信する処理が行われる。第３の送信処理は、例えば、タブレット型端末１０１で生成したカバーページと、ＭＦＰ１０３で本文原稿を読み取って得られる画像データを一つの画像データにマージしてファックス送信したい場合に利用される。即ち、第３の送信処理を実行可能であることにより、タブレット型端末１０１で生成した画像データとＭＦＰ１０３で生成する画像データをまとめて送信する際の手間が大幅に軽減される。
【００５４】
なお、第３の送信処理の目的は、タブレット型端末１０１から送信される画像データとＭＦＰ１０３によるスキャンで得られる画像データの両方が簡単な操作でＭＦＰ１０３から送信されれば達成されるため、ステップＳ１０１３の処理を省略しても構わない。更には、ステップＳ１０１２のスキャンを開始する前にステップＳ１００５で受信した画像データのファックス送信を開始しても良い。この場合、タブレット型端末１０１からの画像データを送信するのと並行して原稿のスキャンが行われ、タブレット型端末１０１からの画像データに引き続いて（同じ呼で）、スキャンによって得られた画像データが送信される。
【００５５】
図１１は、ＭＦＰ１０３の動作を説明するフローチャートである。図１１のフローチャートに示す各動作（ステップ）は、制御部２１０のＣＰＵ２１１がＲＯＭ２１２に記憶された制御プログラムを実行することにより実現される。
【００５６】
ステップＳ１１０１では、タブレット型端末１０１からの指示の内容を判定する。具体的には、画像コマンドを受信し、且つ、スキャンコマンドを受信していない場合は、タブレット型端末１０１から送信された画像データのみをファックス送信すること（第１の送信処理）が指示されたと判断し、ステップＳ１１０６に進む。ステップＳ１１０６では、タブレット型端末１０１から送信された画像データをファックス送信する。
【００５７】
一方、スキャンコマンドを受信している場合は、ＭＦＰ１０３によるスキャンで得られた画像データをファックス送信すること（第２の送信処理または第３の送信処理）が指示された判断し、ステップＳ１１０２に進む。ステップＳ１１０２では、ユーザからの指示があるまで待機し、ユーザからの指示があればステップＳ１１０３に進む。
【００５８】
ステップＳ１１０３では、スキャナ２２２を動作させて原稿上の画像を読み取って画像データを生成する。ステップＳ１１０４では、画像コマンドを受信しているか否かを判定する。画像コマンドを受信していなければ、ＭＦＰ１０３によるスキャンで得られた画像データのみをファックス送信すること（第２の送信処理）が指示されたと判断し、ステップＳ１１０６に進む。ステップＳ１１０６では、スキャンで得られた画像データをファックス送信する。
【００５９】
画像コマンドを受信している場合は、タブレット型端末１０１から送信された画像データとスキャンで得られた画像データをマージしてファックス送信すること（第３の送信処理）が指示されたと判断し、ステップＳ１１０５に進む。ステップＳ１１０５では、タブレット型端末１０１から送信された画像データとスキャンで得られた画像データをマージする処理を行う。ステップＳ１１０６では、ステップＳ１１０５でマージされた画像データをファックス送信する。
【００６０】
以上説明した通り、第１の送信処理の指示をユーザから受け付けた場合は、タブレット端末は、スキャンコマンドをＭＦＰ１０３に送信する（画像コマンドは送信しない）。スキャンコマンドを受信し、画像コマンドを受信しなかった場合、ＭＦＰ１０３は第１の送信処理を実行する。また、第２の送信処理の指示をユーザから受け付けた場合は、タブレット端末は、画像コマンドをＭＦＰ１０３に送信する（スキャンコマンドは送信しない）。画像コマンドを受信し、スキャンコマンドを受信しなかった場合、ＭＦＰ１０３は第２の送信処理を実行する。また、第３の送信処理の指示をユーザから受け付けた場合は、タブレット端末は、画像コマンドとスキャンコマンドの両方をＭＦＰ１０３に送信する。画像コマンドとスキャンコマンドの両方を受信した場合、ＭＦＰ１０３は第３の送信処理を実行する。
【００６１】
なお、上述した第２の送信処理及び第３の送信処理において、画像コマンドを１つのジョブで複数回送信できるようにしても良い。これにより、タブレット型端末１０１で用意した複数の画像データをまとめてファックス送信させることができる。同様に、上述した第１の送信処理及び第３の送信処理において、スキャンコマンドを１つのジョブで複数回送信できるようにしても良い。これにより、複数回のスキャン処理を行って得られる複数の画像データをまとめてファックス送信させることができる。
【００６２】
＜第２の実施形態＞
次に、本発明の第２の実施形態について説明する。第１の実施形態では第３の送信処理を行う際に、タブレット型端末１０１から送信された画像データとスキャンで得られた画像データがマージされる順番は固定的であったのに対し、第２の実施形態ではこの順番をユーザが指定可能とした点が異なる。これ以外の点は第１の実施形態と同様であるため説明は省略する。
【００６３】
図１２は、第１の実施形態における図８の操作画面に対応するものである。設定欄８０１、８０２、８０４、及びファックス送信キー８０５は、図８に示したものと同じである。一方、図８の設定欄８０３は、「オン」または「オフ」を選択するものであったのに対し、図１２の設定欄１２０１は、「オン（後に追加）」、「オン（前に追加）」、「オフ」を選択するものとなっている。
【００６４】
設定欄１２０１で「オン（後に追加）」が設定されると、図１０に示したシーケンスに従って処理が行われる。即ち、ステップＳ１００５で画像コマンドが送信され、その後にステップＳ１００７でスキャンコマンドが送信される。この結果、タブレット型端末１０１から送信された画像データの後ろにスキャンで得られた画像データが追加される形でマージされる。
【００６５】
一方、設定欄１２０１で「オン（前に追加）」が設定されると、図１３に示したシーケンスに従って処理が行われる。図１３に示したシーケンスを図１１と比較すると、画像コマンドの送信とスキャンコマンドの送信の順番が逆になっていることが分かる（ステップＳ１３０１乃至Ｓ１３０４）。この結果、タブレット型端末１０１から送信された画像データの前にスキャンで得られた画像データが追加される形でマージされる。
【００６６】
図１４は、図１１に示したフローチャートのステップＳ１１０５を詳細に説明する図である。ステップＳ１４０１では、スキャンコマンドが画像コマンドよりも先に送信されたか否かを判定する。この判定の結果、スキャンコマンドが先であればステップＳ１４０２に進み、スキャンコマンドが後であればステップＳ１４０３に進む。
【００６７】
ステップＳ１４０２では、タブレット型端末１０１から送信された画像データの前に、スキャンした画像データを追加する形でマージする。ステップＳ１４０３では、タブレット型端末１０１から送信された画像データの後にスキャンした画像データを追加する形でマージする。
【００６８】
このように、タブレット型端末１０１から送信された画像データとスキャンで得られた画像データをマージする順番を、画像コマンドとスキャンコマンドの受信順に応じて変更するようにしている。即ち、タブレット型端末１０１側でユーザが指定可能となったことにより、ユーザの使い勝手が更に向上する。
【００６９】
なお、上述した構成においては、第３の送信処理を行う際に、タブレット型端末１０１から送信された画像データとスキャンで得られた画像データをマージしたものを一回の発呼でファックス送信するものとするが、第３の送信処理の形態はこれに限らない。例えば、タブレット型端末１０１から送信された画像データとスキャンで得られた画像データをマージすることなく、独立した画像データのまま一回の発呼でまとめてファックス送信するようにしても良い。また、タブレット型端末１０１から送信された画像データとスキャンで得られた画像データをそれぞれ別の発呼で自動的に連続してファックス送信するようにしても良い。即ち、タブレット型端末１０１から送信された画像データとスキャンで得られた画像データがまとめて送信される形であれば第３の送信処理に含まれるものとする。
【００７０】
また更に、ＭＦＰ１０３からの送信方法としては、ファックス送信に限らず、電子メールやＳＭＢ（Ｓｅｒｖｅｒ  Ｍｅｓｓａｇｅ  Ｂｌｏｃｋ）、ＦＴＰ（Ｆｉｌｅ  Ｔｒａｎｓｆｅｒ  Ｐｒｏｔｏｃｏｌ）等を利用しても良い。電子メールの場合は、宛先としてメールアドレスを設定することになる。ＳＭＢやＦＴＰの場合は、宛先として送信先サーバのホスト名やフォルダパスを設定することになる。また、電子メールの場合は、各画像データをマージして１つのファイルとして添付しても良いし、マージせずに複数のファイルを１つの電子メールに添付しても良いし、個別のファイルを複数の電子メールに分けて添付しても良い。ＳＭＢやＦＴＰの場合は、各画像データをマージして１つのファイルを１回のセッションで送信しても良いし、マージせずに複数のファイルを１回のセッションで送信しても良いし、個別のファイルを複数のセッションに分けて送信しても良い。
【００７１】
また、上述した説明では、プリンタ２２１を備えるＭＦＰを画像処理システムの例としたが、スキャナ機能を備える装置であれば、プリンタ機能を備えていなくても構わない。
【００７２】
また、上述した説明では、無線通信機能を有するタブレット型端末を情報処理装置の例としたが、画像データを記憶し、ユーザインターフェースを有し、外部と通信可能な装置であれば他の種別の装置でも構わない。例えば、ＰＣやスマートフォン、デジタルカメラなどであっても良い。
【００７３】
また、上述した説明では、図１１及び図１４の各ステップの動作をプロセッサ及びメモリを用いて実現するソフトウェア処理とした場合を説明したが、一部のステップをハードウェア処理として構成しても良い。また、ソフトウェア処理とハードウェア処理を組み合わせて１つのステップを実行するように構成しても良い。
【００７４】
＜他の実施形態＞
本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（ＣＰＵやＭＰＵ等）が記憶媒体に格納されたプログラムコードを読み出す処理である。
【００７５】
この場合、記憶媒体から読み出されたプログラムコード自体が前述した実施の形態の機能を実現することになり、そのプログラムコード及び該プログラムコードを記憶した記憶媒体は本発明を構成することになる。
【符号の説明】
【００７６】
１０３  ＭＦＰ
２１０  制御部
２１１  ＣＰＵ
２１２  ＲＯＭ
２１３  ＲＡＭ
２１４  ＨＤＤ
【図１】
2014239376.tif 000003
【図２】
2014239376.tif 000004
【図３】
2014239376.tif 000005
【図４】
2014239376.tif 000006
【図５】
2014239376.tif 000007
【図６】
2014239376.tif 000008
【図７】
2014239376.tif 000009
【図８】
2014239376.tif 000010
【図９】
2014239376.tif 000011
【図１０】
2014239376.tif 000012
【図１１】
2014239376.tif 000013
【図１２】
2014239376.tif 000014
【図１３】
2014239376.tif 000015
【図１４】
2014239376.tif 000016